(57)【要約】【課題】ＴＶ放送信号受信装置において、視聴頻度が高いチャンネルを、簡単な操作で選局できるようにする。【解決手段】ＴＶ放送信号受信装置１は、チューナ１１で選局された各チャンネルの視聴履歴をメモリ１７に記憶し、メモリ１７に記憶された各チャンネルの視聴履歴に基づいて、視聴頻度が所定値より高いチャンネルのみを抽出して、これらチャンネルの視聴頻度順位を算出する。制御部１８は、ユーザによって視聴頻度順選局ボタン４２が操作された際、算出された視聴頻度順位に基づいて選局動作を制御し、視聴頻度順選局ボタン４２が操作される毎に、視聴頻度が高いチャンネルから順番に選局させ、視聴頻度が所定値以下のチャンネルについては視聴頻度順選局ボタン４２に基づく選局を省略するので、ユーザは複雑な操作をすることなく視聴頻度順選局ボタン４２を操作するだけで、視聴頻度が高いチャンネルのみを選局することができる。【選択図】  図１
2006295674.tif 000002
【特許請求の範囲】
【請求項１】
指定されたチャンネルの選局を行う選局手段と、前記選局手段による選局動作を制御する選局制御手段とを備えたテレビジョン放送信号受信装置において、
前記選局手段で同じチャンネルが所定時間以上連続して選局された場合に、該所定時間毎に視聴ポイントを１ポイントずつカウントして、各チャンネルの視聴履歴を視聴ポイント数として算出する視聴ポイント算出手段と、
前記選局手段で選局された各チャンネルごとに、前記視聴ポイント数を記憶する視聴履歴記憶手段と、
前記視聴履歴記憶手段に記憶された前記視聴ポイント数に基づいて、所定周期毎に、各チャンネルについて所定期間分の前記視聴ポイント数を合計し、該視聴ポイント数の合計が所定値より高いチャンネルのみを抽出して、これらチャンネルの視聴頻度順位を算出する視聴頻度順位算出手段と、
前記視聴頻度順位算出手段により算出された前記視聴頻度順位を記憶する視聴頻度順位記憶手段と、
視聴頻度が高いチャンネルから順番にチャンネルを選局する際にユーザによって操作される選局操作手段と、を備え、
前記選局制御手段は、ユーザによって前記選局操作手段が操作された際に、前記視聴頻度順位記憶手段に記憶された前記視聴頻度順位に基づいて選局動作を制御し、前記選局操作手段が操作される毎に、前記視聴ポイント数の合計が高いチャンネルから順番に選局させ、前記視聴ポイント数の合計が前記所定値以下のチャンネルについては該選局操作手段に基づく選局を省略したことを特徴とするテレビジョン放送信号受信装置。
【請求項２】
指定されたチャンネルの選局を行う選局手段と、前記選局手段による選局動作を制御する選局制御手段とを備えたテレビジョン放送信号受信装置において、
前記選局手段で選局された各チャンネルの視聴履歴を記憶する視聴履歴記憶手段と、
前記視聴履歴記憶手段に記憶された各チャンネルの視聴履歴に基づいて、視聴頻度が所定値より高いチャンネルのみを抽出して、これらチャンネルの視聴頻度順位を算出する視聴頻度順位算出手段と、
視聴頻度が高いチャンネルから順番にチャンネルを選局する際にユーザによって操作される選局操作手段と、を備え、
前記選局制御手段は、ユーザによって前記選局操作手段が操作された際に、前記視聴頻度順位算出手段により算出された前記視聴頻度順位に基づいて選局動作を制御し、前記選局操作手段が操作される毎に、前記視聴頻度が高いチャンネルから順番に選局させ、前記視聴頻度が前記所定値以下のチャンネルについては該選局操作手段に基づく選局を省略したことを特徴とするテレビジョン放送信号受信装置。
【請求項３】
前記選局手段で同じチャンネルが所定時間以上連続して選局された場合に、該所定時間毎に視聴ポイントを１ポイントずつカウントして、各チャンネルの視聴履歴を視聴ポイント数として算出する視聴ポイント算出手段を備え、
前記視聴履歴記憶手段は、前記選局手段で選局された各チャンネルごとに、前記視聴ポイント数を記憶することを特徴とする請求項２に記載のテレビジョン放送信号受信装置。
【発明の詳細な説明】
【技術分野】
【０００１】
本発明はテレビジョン放送信号を受信するテレビジョン放送信号受信装置に関する。
【背景技術】
【０００２】
近年、放送の多チャンネル化によるチャンネル数の増加に伴い、ユーザがチャンネルを選局する際の操作が複雑になってきている。例えば、従来のテレビジョン放送信号受信装置（以下、ＴＶ放送信号受信装置という）では、ユーザは、視聴するチャンネルを選択する際、１００を超えるチャンネル数の中から所望するチャンネルのチャンネル番号をテンキー等を用いて入力する必要があり、複数の操作手順を要していた。通常、ユーザがこれら多くのチャンネルを満遍なく視聴することは稀であり、頻繁に視聴するチャンネルは限られているため、視聴頻度の高いチャンネルのみを簡単に選局操作することができるようにすることが望まれている。
【０００３】
ところで、視聴頻度の高いチャンネルを簡単に選局できるようにしたＴＶ放送信号受信装置として、電源投入時等において、視聴頻度の高いチャンネルを自動的に選局するようにした装置が知られている（例えば、特許文献１及び特許文献２参照）。
【０００４】
また、ピクチャ・イン・ピクチャ（ＰｉｎＰ）機能等、１つの表示画面に複数の異なるチャンネルの映像を表示する複数映像表示機能を備えたＴＶ放送信号受信装置において、子画面等として表示されるチャンネルを、そのチャンネルの視聴頻度等に応じて表示するようにした装置等も知られている（例えば、特許文献３乃至特許文献６参照）。
【特許文献１】特開平３−２１４９１９号公報
【特許文献２】特開平４−２０７７１８号公報
【特許文献３】特開平４−７７１０９号公報
【特許文献４】特開平８−１４０００３号公報
【特許文献５】特開平８−１８１９２７号公報
【特許文献６】特開２０００−３３３０９４号公報
【発明の開示】
【発明が解決しようとする課題】
【０００５】
しかしながら、上記特許文献１及び特許文献２に記載される装置は、電源投入時等において視聴頻度の高いチャンネルを自動的に選局することができるようにしたものであって、ユーザが自発的に視聴頻度の高いチャンネルを選局できるようにしたものではない。このため、例えば、ユーザが普段よく見るチャンネルでどのようなＴＶ番組が放送されているか確認する場合など、視聴頻度が高いチャンネルを順番に選局する場合などの操作性を改善できるものではなかった。
【０００６】
また、上記特許文献３乃至特許文献６に記載される装置は、ＰｉｎＰ機能を有する装置を前提としており、高いグラフィック処理能力を有する高価なマイコンが必要になる。また、これらの装置では、選局するチャンネルを選択する際、まず、カーソルキーを操作して選局するチャンネルの子画面を選択し、決定キーを操作して選局するチャンネルを決定する等、視聴するチャンネルを選局する際、複数のキーを操作する必要があった。
【０００７】
一方、このような操作性を改善する一つ手段として、ユーザに、予め視聴頻度の高いチャンネルをお気に入りのチャンネルとして登録（以下、単に「お気に入り」に登録という）させ、チャンネルの選局時に、この登録を呼び出すことにより視聴頻度の高いチャンネルを選局できるようにする方法等が考えられる。
【０００８】
しかしながら、このような方法では、ユーザ自らがチャンネルを「お気に入り」として登録する必要があり、ユーザに登録作業を強いることとなる。また、ユーザが「お気に入り」の機能自体、理解できない虞もある。
【０００９】
本発明は、上記課題を解決するためになされたものであり、視聴頻度が高いチャンネルを、簡単な操作で選局することができるテレビジョン放送信号受信装置を提供することを目的とする。
【課題を解決するための手段】
【００１０】
上記目的を達成するために請求項１の発明は、指定されたチャンネルの選局を行う選局手段と、前記選局手段による選局動作を制御する選局制御手段とを備えたテレビジョン放送信号受信装置において、前記選局手段で同じチャンネルが所定時間以上連続して選局された場合に、該所定時間毎に視聴ポイントを１ポイントずつカウントして、各チャンネルの視聴履歴を視聴ポイント数として算出する視聴ポイント算出手段と、前記選局手段で選局された各チャンネルごとに、前記視聴ポイント数を記憶する視聴履歴記憶手段と、前記視聴履歴記憶手段に記憶された前記視聴ポイント数に基づいて、所定周期毎に、各チャンネルについて所定期間分の前記視聴ポイント数を合計し、該視聴ポイント数の合計が所定値より高いチャンネルのみを抽出して、これらチャンネルの視聴頻度順位を算出する視聴頻度順位算出手段と、前記視聴頻度順位算出手段により算出された前記視聴頻度順位を記憶する視聴頻度順位記憶手段と、視聴頻度が高いチャンネルから順番にチャンネルを選局する際にユーザによって操作される選局操作手段と、を備え、前記選局制御手段は、ユーザによって前記選局操作手段が操作された際に、前記視聴頻度順位記憶手段に記憶された前記視聴頻度順位に基づいて選局動作を制御し、前記選局操作手段が操作される毎に、前記視聴ポイント数の合計が高いチャンネルから順番に選局させ、前記視聴ポイント数の合計が前記所定値以下のチャンネルについては該選局操作手段に基づく選局を省略したことを特徴とする。
【００１１】
請求項２の発明は、指定されたチャンネルの選局を行う選局手段と、前記選局手段による選局動作を制御する選局制御手段とを備えたテレビジョン放送信号受信装置において、前記選局手段で選局された各チャンネルの視聴履歴を記憶する視聴履歴記憶手段と、前記視聴履歴記憶手段に記憶された各チャンネルの視聴履歴に基づいて、視聴頻度が所定値より高いチャンネルのみを抽出して、これらチャンネルの視聴頻度順位を算出する視聴頻度順位算出手段と、視聴頻度が高いチャンネルから順番にチャンネルを選局する際にユーザによって操作される選局操作手段と、を備え、前記選局制御手段は、ユーザによって前記選局操作手段が操作された際に、前記視聴頻度順位算出手段により算出された前記視聴頻度順位に基づいて選局動作を制御し、前記選局操作手段が操作される毎に、前記視聴頻度が高いチャンネルから順番に選局させ、前記視聴頻度が前記所定値以下のチャンネルについては該選局操作手段に基づく選局を省略したことを特徴とする。
【００１２】
請求項３の発明は、請求項２に記載のテレビジョン放送信号受信装置において、前記選局手段で同じチャンネルが所定時間以上連続して選局された場合に、該所定時間毎に視聴ポイントを１ポイントずつカウントして、各チャンネルの視聴履歴を視聴ポイント数として算出する視聴ポイント算出手段を備え、前記視聴履歴記憶手段は、前記選局手段で選局された各チャンネルごとに、前記視聴ポイント数を記憶することを特徴とする。
【発明の効果】
【００１３】
以上のように請求項１の発明によれば、視聴履歴記憶手段に記憶された各チャンネルの視聴ポイント数に基づいて視聴頻度順位を算出し、ユーザによって選局操作手段が操作された際に、この視聴頻度順位に基づいて視聴頻度が高いチャンネルから順番に選局させ、視聴頻度が所定値以下のチャンネルについては選局操作手段に基づく選局を省略したので、ユーザは複雑な操作をすることなく選局操作手段を操作するだけで、視聴頻度が高いチャンネルのみを選局することができる。
【００１４】
また、視聴履歴記憶手段に記憶された各チャンネルの視聴履歴に基づいて視聴頻度順位が算出され、この視聴頻度順位に基づいて、選局操作手段が操作された際に行われる選局動作が制御されるので、視聴頻度の高いチャンネルを「お気に入り」として登録させる等の特別な作業をユーザに強いることなく、ユーザは選局操作手段を操作するだけで簡単に視聴頻度の高いチャンネルを選局することができる。
【００１５】
また、同じチャンネルが所定時間以上連続して視聴された場合にのみ視聴ポイントを１ポイントずつカウントして各チャンネルの視聴履歴を記憶するので、選局された各チャンネルの回数をカウントすることにより視聴履歴を記憶する場合と比べて、本来、視聴履歴としてカウントされるべきではないザッピング（テレビコマーシャル等の最中にチャンネルを次々と変える行為）等による選局が視聴履歴としてカウントされることを防止することができる。また、視聴頻度をポイント化して所定時間毎にカウントすることで、視聴した時間をそのまま視聴履歴として記憶する場合と比べて、記憶すべき情報量を削減することができる。
【００１６】
また、視聴頻度順位は、所定周期毎に、所定期間分の視聴ポイント数を合計することにより算出され視聴頻度順位記憶手段に記憶されているので、ユーザによって選局操作手段が操作される毎に、改めて視聴頻度順位を算出するための処理を実行する必要がなく、選局操作手段に基づく選局動作時の処理負担を軽くすることができる。
【００１７】
請求項２の発明によれば、ユーザによって選局操作手段が操作された際、視聴頻度順位に基づいて視聴頻度が高いチャンネルから順番に選局させ、視聴頻度が所定値以下のチャンネルについては選局操作手段に基づく選局を省略したので、ユーザは複雑な操作をすることなく選局操作手段を操作するだけで、視聴頻度が高いチャンネルのみを選局することができる。また、視聴頻度の高いチャンネルを簡単に選局できるようにするために、ユーザに特別な作業を強いることもない。
【００１８】
請求項３の発明によれば、同じチャンネルが所定時間以上連続して視聴された場合にのみ視聴ポイントを１ポイントずつカウントして各チャンネルの視聴履歴を記憶するので、選局された各チャンネルの回数をカウントすることにより視聴履歴を記憶する場合と比べて、ザッピング等による選局が視聴履歴としてカウントされることを防止することができると共に、視聴した時間をそのまま視聴履歴として記憶する場合と比べて、記憶すべき情報量を削減することができる。
【発明を実施するための最良の形態】
【００１９】
本発明の一実施形態に係るテレビジョン放送信号受信装置（以下、ＴＶ放送信号受信装置という）について説明する。図１に示されるように、ＴＶ放送信号受信装置１は、放送局から配信されるテレビジョン放送信号（以下、ＴＶ放送信号という）をアンテナ２を介して受信し、ＴＶ放送信号に含まれる映像信号及び音声信号をモニタ装置に出力する装置であり、チャンネルの選局を行うチューナ１１と、受信したＴＶ放送信号を処理する信号処理部１２と、映像信号をモニタ画面３に出力する出力部１３と、リモコン装置１４と、リモコン受信部１５と、時計回路１６と、各種情報を記憶するメモリ１７と、装置全体を制御する制御部１８とを備えている。
【００２０】
チューナ（選局手段）１１は、その受信周波数を、ユーザにより選択されたチャンネルに対応する周波数に同調させることにより、指定されたチャンネルの選局を行う。信号処理部１２は、チューナ１１で受信したＴＶ放送信号を処理して映像信号及び音声信号を抽出する。抽出された映像信号等は、出力部１３を介してモニタ装置に出力され、モニタ画面３に映像が表示される。
【００２１】
リモコン装置１４は、チャンネル番号を入力する際に用いられるテンキー４１、及び、視聴頻度が高いチャンネルから順番にチャンネルを選局する際に操作される視聴頻度順選局ボタン（選局操作手段）４２等を備えており、これらボタン操作に応じた赤外線信号を送信する。リモコン受信部１５は、リモコン装置１４から送信された信号を受信し、制御部１８へ出力する。時計回路１６は時計として機能すると共に、後述する視聴ポイント加算処理においてタイマーとして機能する。
【００２２】
メモリ（視聴履歴記憶手段、視聴頻度順位記憶手段）１７は、視聴ポイント加算処理により求められた視聴ポイント５０を記憶すると共に、後述する視聴頻度リスト作成処理により算出された視聴頻度順位を示す視聴頻度リスト６０を記憶する。
【００２３】
制御部１８は、不図示のＲＯＭに記憶されているプログラムに従って各種処理を実行して装置全体を制御し、後述する選局制御処理を実行することによりチューナ１１による選局動作を制御して選局制御手段として機能する。また、制御部１８は視聴ポイント加算処理を実行することにより、チューナ１１で同じチャンネルが所定時間以上連続して選局された場合に、該所定時間毎に視聴ポイントを１ポイントずつカウントして、各チャンネルの視聴履歴を視聴ポイント数として算出する視聴ポイント算出手段として機能する。また、制御部１８は視聴頻度リスト作成処理を実行することにより、メモリ１７に記憶された視聴ポイント数に基づいて、所定周期毎に、各チャンネルについて所定期間分の視聴ポイント数を合計し、この視聴ポイント数の合計が所定値より高いチャンネルのみを抽出して、これらチャンネルの視聴頻度順位を算出する視聴頻度順位算出手段として機能する。
【００２４】
次に、視聴ポイント加算処理について図２を参照して説明する。視聴ポイント加算処理は、チューナ１１で任意のチャンネルが選局されている間、常に実行される。制御部１８は、ユーザによりテンキー４１又は視聴頻度順選局ボタン４２が操作されてチューナ１１で選局されているチャンネルが変更されたか否か監視し（＃１）、チャンネルが変更されると（＃１でＹＥＳ）、タイマーの値を”０”にリセットする（＃２）。そして、タイマーの値が１５分（所定時間）以上か否か判断する（＃３）。タイマーの値が１５分より小さければ（＃３でＮＯ）、ステップ＃１に戻ってタイマーの値が１５分以上になるまで、チャンネルが変更されたか否か監視する。そして、タイマーの値が１５分以上になると（＃３でＹＥＳ）、チューナ１１で選局されているチャンネルの視聴ポイントをインクリメントし、ステップ＃２に戻ってタイマーをリセットする（＃４）。
【００２５】
制御部１８は、このような処理を繰り返すことにより、連続して選局された時間が１５分より小さくなるチャンネルについては視聴ポイントをカウントせず、同じチャンネルが連続して選局されている間は、１５分毎に視聴ポイントをカウントする。
【００２６】
なお、視聴ポイントを加算する間隔は１５分でなくてもよく、例えば、この間隔をテレビコマーシャルが挿入される間隔より短く設定することにより、テレビコマーシャル中だけチャンネルが変更された場合であっても、チャンネルが変更される前に視聴されていたテレビ番組のチャンネルついて視聴ポイントをカウントすることができる。
【００２７】
上記処理により算出された視聴ポイントは日付毎に管理され、所定期間分の視聴ポイント５０が常にメモリ１７内に記憶される。例えば、図３及び図４に示されるように、３月１１日の時点おいては、当日（３月１１日）に記憶される視聴ポイント５０の他に、３月４日〜３月１０日の７日（所定期間）分の視聴ポイント５０がメモリ１７内に記憶されている。このように、所定期間に区切って視聴ポイント５０をメモリ１７内に記憶することにより、視聴履歴を管理するために必要なメモリ１７の容量を削減することができる。また、７日分の視聴ポイント５０をメモリ１７に記憶して視聴履歴を管理することにより、1週間のサイクルで放送されるテレビ番組に合わせた視聴履歴の管理が可能となる。
【００２８】
次に、視聴ポイント５０に基づいて視聴頻度リスト６０を作成する際に行われる視聴頻度リスト作成処理について図５のフローチャートを参照して説明する。制御部１８は、時計回路１６からの出力に基づいて時刻を監視し、時刻が例えば午前０時０分になると（すなわち、１日１回の周期（所定周期）で）、視聴頻度リスト作成処理を開始する。視聴頻度リスト作成処理が開始されると、制御部１８は、まず、８日前の視聴ポイントを削除する（＃２１）。例えば、図３の例では、３月１１日の０時０分（同図の点Ａ）になると、３月３日の視聴ポイントを削除する。次に、１日前から７日前まで（所定期間分）の各チャンネルの視聴ポイント数の合計を算出する（＃２２）。図３及び図４の例では、３月４日から３月１０日までの各チャンネルの視聴ポイント数の合計を算出する。そして、視聴ポイント数の合計が所定値より高いチャンネルのみを抽出して、これらチャンネルの視聴頻度順位を算出し、視聴頻度リスト６０を作成する（＃２３）。図６に示す例では、視聴ポイント数の合計が”１９”ポイントより高くなるチャンネルのみを抽出して視聴頻度リスト６０を作成し、視聴ポイント数の合計が高くなるチャンネルから順番に視聴頻度順位”１”〜”５”を割り当てている。なお、視聴頻度リスト６０に登録するチャンネル数を任意の数に限定するなどしてもよい。図３に示されるように、本実施形態においては、視聴頻度リスト作成処理は１日のうちで０時０分のタイミングでのみ行われるので、３月１１日の０時０分（点Ａ）より後、３月１２日の０時０分（点Ｂ）までは視聴ポイント５０はカウントされるが、視聴頻度リスト６０は更新されることはない。
【００２９】
次に、選局制御処理について図７のフローチャートを参照して説明する。制御部１８は、リモコン装置１４のテンキー４１又は視聴頻度順選局ボタン４２が操作されたか否か監視し、テンキー４１又は視聴頻度順選局ボタン４２が操作されると、選局制御処理を開始する。制御部１８は、選局制御処理が開始されると、まず、これから行われる選局処理がテンキー４１に基づくものか、視聴頻度順選局ボタン４２に基づくものか判断し（＃４１）、テンキー４１に基づくものであれば（＃４１でＮＯ）、テンキー４１を介して入力されたチャンネル番号に対応するチャンネルをチューナ１１に選局させ（＃４２）、優先度カウンタの値を”０”にリセットする（＃４６）。
【００３０】
一方、これから行われる選局処理が視聴頻度順選局ボタン４２に基づくものであれば（＃４１でＹＥＳ）、優先度カウンタの値がインクリメントされ（＃４３）、優先度カウンタの値に基づいて選局するチャンネルが決定され、選局される（＃４４）。前回の選局処理がテンキー４１に基づくものであれば（＃４１でＮＯ）、ステップ＃４６において優先度カウンタがリセットされているので、ステップ＃４４における優先度カウンタの値は”１”（ステップ＃４３でインクリメントされている）となり、例えば、図６の視聴頻度リスト６０で視聴頻度順位の値と優先度カウンタの値が”１”で一致する２チャンネルが選局される（＃４４）。そして、制御部１８は、優先度カウンタの値が最大値になったか否か判断し（＃４５）、優先度カウンタの値が最大値になっていれば（＃４５でＹＥＳ）、優先度カウンタの値をリセットし（＃４６）、優先度カウンタの値が最大値になっていなければ（＃４５でＮＯ）、そのまま処理を終了する。なお、優先度カウンタの最大値は、例えば、視聴頻度リスト６０に登録されているチャンネル数により決定され、図６の例では優先度カウンタの最大値は”５”となる。
【００３１】
図６の例において、視聴頻度順選局ボタン４２に基づいて視聴頻度順位が”１”となる２チャンネルが選局された状態（この状態では、優先度カウンタの値は”１”）で、再度、視聴頻度順選局ボタン４２が押下されると、ステップ＃４２において、優先度カウンタの値がインクリメントされて”２”となり、視聴頻度順位”２”の３２チャンネルが選局される。また、視聴頻度順選局ボタン４２が連続して操作され、視聴頻度順位が”５”となる１０チャンネルが選局された状態（この状態では、優先度カウンタの値はステップ＃４６でリセットされているので”０”）で、再度、視聴頻度順選局ボタン４２が押下されると、ステップ＃４２において、優先度カウンタがインクリメントされて”１”となり、２チャンネルが選局される。このように視聴頻度順選局ボタン４２を連続して操作することにより、図８に示されるように、２チャンネル、３２チャンネル、５５チャンネル、４６チャンネル、及び１０チャンネルがサイクリックに選局され、これらチャンネルの映像がモニタ画面３に表示される。
【００３２】
制御部１８は、上記処理を実行することにより、ユーザによって視聴頻度順選局ボタン４２が操作された際に、メモリ１７に記憶された視聴頻度リスト６０の視聴頻度順位に基づいて選局動作を制御し、視聴頻度順選局ボタン４２が操作される毎に、視聴ポイント数の合計が高いチャンネルから順番（すなわち、視聴頻度順位が高い順番）に選局させ、視聴ポイント数の合計が所定値以下のチャンネル（すなわち、視聴頻度リスト６０に登録されてないチャンネル）については視聴頻度順選局ボタン４２に基づく選局を省略する。
【００３３】
以上のように本実施形態のＴＶ放送信号受信装置１によれば、メモリ１７に記憶された各チャンネルの視聴ポイント数に基づいて視聴頻度順位を算出し、ユーザによって視聴頻度順選局ボタン４２が操作された際に、この視聴頻度順位に基づいて視聴頻度が高いチャンネルから順番に選局させ、視聴頻度が所定値以下のチャンネルについては視聴頻度順選局ボタン４２に基づく選局を省略したので、ユーザは複雑な操作をすることなく視聴頻度順選局ボタン４２を操作するだけで、視聴頻度が高いチャンネルのみを選局することができる。
【００３４】
また、メモリ１７に記憶された各チャンネルの視聴履歴に基づいて視聴頻度順位が算出され、この視聴頻度順位に基づいて、視聴頻度順選局ボタン４２が操作された際に行われる選局動作が制御されるので、視聴頻度の高いチャンネルを「お気に入り」として登録させる等の特別な作業をユーザに強いることなく、ユーザは視聴頻度順選局ボタン４２を操作するだけで簡単に視聴頻度の高いチャンネルを選局することができる。
【００３５】
また、同じチャンネルが所定時間以上連続して視聴された場合にのみ視聴ポイントを１ポイントずつカウントして各チャンネルの視聴履歴を記憶するので、選局された各チャンネルの回数をカウントすることにより視聴履歴を記憶する場合と比べて、本来、視聴履歴としてカウントされるべきではないザッピング（テレビコマーシャル等の最中にチャンネルを次々と変える行為）等による選局が視聴履歴としてカウントされることを防止することができる。また、視聴頻度をポイント化して所定時間毎にカウントすることで、視聴した時間をそのまま視聴履歴として記憶する場合と比べて、記憶すべき情報量を削減することができる。
【００３６】
また、視聴頻度順位は、所定周期毎に、所定期間分の視聴ポイント数を合計することにより算出され、メモリ１７に記憶されているので、制御部１８は、ユーザによって視聴頻度順選局ボタン４２が操作される毎に、改めて視聴頻度順位を算出するための処理を実行する必要がなく、視聴頻度順選局ボタン４２に基づく選局動作時の処理負担を軽くすることができる。
【００３７】
なお、本発明は上記実施形態の構成に限られることなく、発明の趣旨を変更しない範囲で種々の変形が可能である。
【図面の簡単な説明】
【００３８】
【図１】本発明の一実施形態に係るテレビジョン放送信号受信装置の構成を示すブロック図。
【図２】同受信装置による視聴ポイント加算処理を示すフローチャート。
【図３】同視聴ポイント加算処理により算出される視聴ポイント及びこの視聴ポイントに基づいて作成される視聴頻度リストの説明図。
【図４】同視聴ポイントの説明図。
【図５】同受信装置による視聴頻度リスト作成処理を示すフローチャート。
【図６】同視聴頻度リストの説明図。
【図７】同受信装置の選局制御処理を示すフローチャート。
【図８】同受信装置の視聴頻度順選局ボタンを操作した際に選局されるチャンネルの説明図。
【符号の説明】
【００３９】
１    テレビジョン放送信号受信装置
１１  チューナ（選局手段）
１７  メモリ（視聴履歴記憶手段、視聴頻度順位記憶手段）
１８  制御部（選局制御手段、視聴ポイント算出手段、視聴頻度順位算出手段）
４２  視聴頻度順選局ボタン（選局操作手段）
５０  視聴ポイント
６０  視聴頻度リスト
【図１】
2006295674.tif 000003
【図２】
2006295674.tif 000004
【図３】
2006295674.tif 000005
【図４】
2006295674.tif 000006
【図５】
2006295674.tif 000007
【図６】
2006295674.tif 000008
【図７】
2006295674.tif 000009
【図８】
2006295674.tif 000010